(57)【要約】  バックライトの発光輝度の変化によりパネル温度が変化した場合でも、適切なオーバーシュート駆動を実行できる液晶表示装置を提供する。液晶表示装置は、液晶パネル（５）と、液晶パネル（５）を照射するバックライト（１０）と、装置内の温度を検出する温度センサ（１３）と、液晶パネル（５）の１垂直表示期間経過後に、液晶パネル（５）の透過率を入力映像信号の定める透過率に到達させるための強調変換パラメータを求め、強調変換パラメータに基づいて液晶パネル（５）への印加電圧信号を出力する強調変換部（２）と、バックライト（１０）の発光輝度が変化したときに、温度センサ（１３）で検出された温度に対応する液晶パネル（５）のパネル温度を前記変化した発光輝度に基づいて補正するメインマイコン（８）とを備える。強調変換部（２）は、メインマイコン（８）により補正されたパネル温度に基づいて、強調変換パラメータを可変制御する。
2011043290.tif 000002
【特許請求の範囲】
【請求項１】
入力映像信号を表示する液晶パネルと、該液晶パネルを照射する光源と、該光源の発光輝度を制御する光源輝度制御部とを備えた液晶表示装置であって、
該液晶表示装置内の温度を検出する温度検出部と、前記液晶パネルの１垂直表示期間経過後に、前記液晶パネルの透過率を前記入力映像信号の定める透過率に到達させるための強調変換パラメータを求め、該強調変換パラメータに基づいて前記液晶パネルへの印加電圧信号を出力する強調変換部と、前記光源の発光輝度が変化したときに、前記温度検出部で検出された温度に対応する前記液晶パネルのパネル表面温度を前記変化した発光輝度に基づいて補正するパネル温度補正部とを備え、
前記強調変換部は、前記パネル温度補正部により補正されたパネル表面温度に基づいて、前記強調変換パラメータを可変制御することを特徴とする液晶表示装置。
【請求項２】
請求項１に記載の液晶表示装置において、前記光源が最大発光輝度にあるときの前記温度検出部で検出される温度と前記液晶パネルのパネル表面温度との第１の相関データと、前記光源の発光輝度と前記液晶パネルの最大発光輝度でのパネル表面温度に対する補正値との第２の相関データとを記憶したメモリを備え、前記パネル温度補正部は、前記光源の発光輝度が変化したときに、前記第１の相関データに基づいて、前記温度検出部で検出された温度に対応する前記液晶パネルの最大発光輝度でのパネル表面温度を求め、該パネル表面温度に対する前記発光輝度に基づく補正は、前記第２の相関データに基づいて行われることを特徴とする液晶表示装置。
【請求項３】
請求項１に記載の液晶表示装置において、前記光源の各発光輝度毎に前記温度検出部で検出される温度と前記液晶パネルのパネル表面温度との相関データを記憶したメモリを備え、前記パネル温度補正部は、前記光源の発光輝度が変化したときに、前記相関データに基づいて、前記温度検出部で検出された温度に対応する前記液晶パネルのパネル表面温度を補正することを特徴とする液晶表示装置。
【請求項４】
請求項１〜３のいずれか１項に記載の液晶表示装置において、前記光源の発光輝度が変化したときに、前記温度検出部で検出される温度が変化しないと判定した場合に、前記パネル温度補正部は、前記補正を行うことを特徴とする液晶表示装置。
【請求項５】
請求項１〜４のいずれか１項に記載の液晶表示装置において、前記液晶パネルを複数のエリアに分割するエリア分割部を備え、前記パネル温度補正部は、前記液晶パネルを分割した各エリア毎のパネル表面温度を、前記変化した発光輝度に基づいて補正し、前記強調変換部は、前記パネル温度補正部により補正されたパネル表面温度に基づいて、前記液晶パネルの各エリア毎に前記強調変換パラメータを可変制御することを特徴とする液晶表示装置。
【請求項６】
請求項５に記載の液晶表示装置において、前記温度検出部は、前記複数のエリアの数よりも少ない数の温度計測点を有し、該温度計測点の温度に基づいて、各エリアの周囲温度を予測することを特徴とする液晶表示装置。
【請求項７】
請求項５に記載の液晶表示装置において、前記温度検出部は、前記複数のエリアの数と同じ数の温度計測点を有し、該温度計測点の温度を、各エリアの周囲温度とすることを特徴とする液晶表示装置。
【請求項８】
入力映像信号を表示する液晶パネルと、該液晶パネルを照射する光源と、該光源の発光輝度を制御する光源輝度制御部とを備えた液晶表示装置であって、
該液晶表示装置内の温度を検出する温度検出部と、前記入力映像信号にガンマ補正を行うガンマ補正部と、前記光源の発光輝度が変化したときに、前記温度検出部で検出された温度に対応する前記液晶パネルのパネル表面温度を前記変化した発光輝度に基づいて補正するパネル温度補正部とを備え、
前記ガンマ補正部は、前記パネル温度補正部により補正されたパネル表面温度に対応するガンマ値を算出し、該算出したガンマ値に従って前記入力映像信号の階調値を変換して出力することを特徴とする液晶表示装置。
【請求項９】
請求項８に記載の液晶表示装置において、前記光源が最大発光輝度にあるときの前記温度検出部で検出される温度と前記液晶パネルのパネル表面温度との第１の相関データと、前記光源の発光輝度と前記液晶パネルの最大発光輝度でのパネル表面温度に対する補正値との第２の相関データとを記憶したメモリを備え、前記パネル温度補正部は、前記光源の発光輝度が変化したときに、前記第１の相関データに基づいて、前記温度検出部で検出された温度に対応する前記液晶パネルの最大発光輝度でのパネル表面温度を求め、該パネル表面温度に対する前記発光輝度に基づく補正は、前記第２の相関データに基づいて行われることを特徴とする液晶表示装置。
【請求項１０】
請求項８に記載の液晶表示装置において、前記光源の各発光輝度毎に前記温度検出部で検出される温度と前記液晶パネルのパネル表面温度との相関データを記憶したメモリを備え、前記パネル温度補正部は、前記光源の発光輝度が変化したときに、前記相関データに基づいて、前記温度検出部で検出された温度に対応する前記液晶パネルのパネル表面温度を補正することを特徴とする液晶表示装置。
【請求項１１】
請求項９又は１０に記載の液晶表示装置において、前記ガンマ補正部は、前記液晶パネルの最大発光輝度でのパネル表面温度と、前記液晶表示装置に予め設定されているガンマ設定値に対する補正値との第３の相関データに基づいて、前記パネル温度補正部により補正されたパネル表面温度に対応するガンマ値を算出することを特徴とする液晶表示装置。
【請求項１２】
請求項８〜１１のいずれか１項に記載の液晶表示装置において、前記光源の発光輝度がユーザの操作入力により変化したときに、前記ガンマ補正部で算出されたガンマ値と前記液晶表示装置に予め設定されているガンマ設定値とが異なると判定した場合に、前記光源の発光輝度の変化と同時に、前記ガンマ設定値から前記算出したガンマ値へ変化させることを特徴とする液晶表示装置。
【請求項１３】
請求項８〜１１のいずれか１項に記載の液晶表示装置において、前記光源の発光輝度が周囲の明るさの変化に応じて自動的に変化したときに、前記ガンマ補正部で算出されたガンマ値と前記液晶表示装置に予め設定されているガンマ設定値とが異なると判定した場合に、前記ガンマ設定値から前記算出したガンマ値へ徐々に変化させることを特徴とする液晶表示装置。
【請求項１４】
請求項８〜１３のいずれか１項に記載の液晶表示装置において、前記光源の発光輝度が変化したときに、前記温度検出部で検出される温度が所定値以上変化しないと判定した場合に、前記パネル温度補正部は、前記温度検出部で検出された温度に対応する前記液晶パネルのパネル表面温度を前記発光輝度に基づいて補正することを特徴とする液晶表示装置。
【請求項１５】
請求項８〜１４のいずれか１項に記載の液晶表示装置において、前記ガンマ補正部は、前記パネル温度補正部により補正されたパネル表面温度に対応するガンマ値を、白、赤、緑、青毎に算出し、前記白のガンマ値と前記緑のガンマ値とが等しいと判定された場合、前記赤及び青それぞれのガンマ値と前記緑のガンマ値とが等しいか否かを判定し、前記赤及び青それぞれのガンマ値と前記緑のガンマ値とが等しくないと判定された場合、前記赤及び青それぞれのガンマ値を、前記緑のガンマ値になるように調整することを特徴とする液晶表示装置。
【請求項１６】
請求項８〜１４のいずれか１項に記載の液晶表示装置において、前記液晶パネルを複数のエリアに分割するエリア分割部を備え、前記パネル温度補正部は、前記液晶パネルを分割した各エリア毎のパネル表面温度を、前記変化した発光輝度に基づいて補正し、前記ガンマ補正部は、前記パネル温度補正部により補正されたパネル表面温度に基づいて、前記液晶パネルの各エリア毎にガンマ値を算出し、該算出したガンマ値に従って前記入力映像信号の階調値を各エリア毎に変換して出力することを特徴とする液晶表示装置。
【請求項１７】
請求項１６に記載の液晶表示装置において、前記温度検出部は、前記複数のエリアの数よりも少ない数の温度計測点を有し、該温度計測点の温度に基づいて、各エリアの周囲温度を予測することを特徴とする液晶表示装置。
【請求項１８】
請求項１６に記載の液晶表示装置において、前記温度検出部は、前記複数のエリアの数と同じ数の温度計測点を有し、該温度計測点の温度を、各エリアの周囲温度とすることを特徴とする液晶表示装置。
【請求項１９】
請求項１６〜１８のいずれか１項に記載の液晶表示装置において、前記ガンマ補正部は、前記パネル温度補正部により補正されたパネル表面温度に対応するガンマ値を、各エリアについて、白、赤、緑、青毎に算出し、前記白のガンマ値と前記緑のガンマ値とが等しいと判定された場合、前記赤及び青それぞれのガンマ値と前記緑のガンマ値とが等しいか否かを各エリア毎に判定し、前記赤及び青それぞれのガンマ値と前記緑のガンマ値とが等しくないと判定された場合、各エリア毎に、前記赤及び青それぞれのガンマ値を、前記緑のガンマ値になるように調整することを特徴とする液晶表示装置。
【発明の詳細な説明】
【技術分野】
【０００１】
本発明は、液晶表示装置に関し、より詳細には、映像信号に対する液晶の応答速度を改善するオーバードライブ機能と、温度センサにより検出される温度に応じてガンマ特性を調整する機能とを備えた液晶表示装置に関する。
【背景技術】
【０００２】
近年、パーソナルコンピュータやテレビ受像機などの表示装置として、これまで主として用いられてきた陰極線管(ＣＲＴ:Cathode Ray Tube)に代わり、ＬＣＤ(Liquid Crystal Display)などのフラットパネル型ディスプレイが普及している。このＬＣＤは、二つの基板の間に注入されている異方性誘電率を有する液晶層に電界を印加し、この電界の強さを調節して基板を透過する光の量を調節することによって所望の画像信号を得る表示装置である。この中でも薄膜トランジスタ（ＴＦＴ）をスイッチング素子として用いたＴＦＴ型ＬＣＤが主に用いられている。【０００３】
最近では、ＬＣＤがテレビ受像機のディスプレイ装置として広く用いられているため、動画像を具現する必要があるが、これまでＬＣＤは応答速度が遅く、動画像を具現するのは難しいという問題があった。【０００４】
このような液晶の応答速度を改善するために、１フレーム前の入力画像信号と現フレームの入力画像信号の組み合わせに応じて、予め決められた現フレームの入力画像信号に対する階調電圧より高い駆動電圧を液晶表示パネルに供給する液晶駆動（オーバードライブ）方式が知られている。以下、本明細書では、この駆動方式をオーバーシュート駆動というものとする。【０００５】
また、液晶の応答速度は、温度依存性が非常に大きいことが知られているが、従来の液晶表示装置の中には、使用温度環境に応じて、オーバーシュートの駆動電圧を調整するようにしたものがある。この使用温度を計測するための温度センサ（サーミスタなど）は、その本来の目的から液晶表示パネル内に設けることが望ましいが、これは表示の妨げになる等の理由により困難であるため、回路基板などの他の部材に取り付けられる。【０００６】
このため、バックライト光源を点灯駆動するためのインバータトランスや電源ユニット等の他の部材による発熱作用を最も受けにくい場所に温度センサを配置して、できるだけ正確に液晶表示パネルの温度を検出するようにしている。そして、液晶表示パネルの検出温度に対応した適切な強調変換パラメータを選択し、これにより適切な強調変換データ（書込階調データ）、すなわち、オーバーシュート駆動電圧（以下、ＯＳ駆動電圧という）を液晶表示パネルに供給するようにしている。【０００７】
従来、液晶表示装置内の温度に応じて、ＯＳ駆動電圧を変更する技術に関し、例えば、特許文献１には、装置内温度を検出する温度センサと、装置の設置形態を検出する設置形態検出部とを備え、装置の設置形態に係らず、常に適切な強調変換データを求めて、液晶表示パネルに供給できるようにしたものが記載されている。【０００８】
また、上記のような液晶表示装置では、画像をより自然に表示するために、あるいは、ユーザの好みに応じた品位で表示するために、入力されるデジタル画像データに対してガンマ補正を行うガンマ補正回路が設けられている。このようなガンマ補正回路の一例においては、例えば、使用される液晶パネルのガンマ特性に応じて設定される適切な変換データが、ＲＯＭ等に設定されたルックアップテーブル（ＬＵＴ）に予め記憶されている。そして、ガンマ補正回路は、入力されるデジタル画像データの階調値に対応した変換データを上記ＬＵＴから読み出すことによりガンマ補正を行うようにしている。【０００９】
液晶の応答速度は、上述のように、温度依存性が非常に大きく、周囲温度の変化に応じてガンマカーブが変化してしまうことが知られている。この温度によるガンマカーブの変化（ガンマずれ）を補正し、ガンマカーブが一定に保たれるように、温度センサ（サーミスタなど）によって検出される周囲温度に応じて、液晶パネルに供給するゲート電圧を可変制御する方法が開示されている（例えば、特許文献２を参照）。
【先行技術文献】
【特許文献】
【００１０】
【特許文献１】特開２００４−２７２０５０号公報
【特許文献２】特開２００８−１８５９３２号公報
【発明の概要】
【発明が解決しようとする課題】
【００１１】
ここで、従来のオーバーシュート駆動方式では、バックライトの最大輝度時でのセンサ温度（周囲温度）とパネル表面温度との相関に基づいて、ＯＳ駆動電圧を決定している。具体的には、センサ温度とパネル表面温度との相関は、後述の図４（Ａ）に示す３次の近似曲線で示すことができる。そして、センサ温度が変化したときに、これに追従してＯＳ駆動電圧が変更されるようになっている。【００１２】
しかしながら、例えば、ユーザ設定等により、バックライトの発光輝度を最大から最小に変化させたときに、パネル表面温度は早く変化するが、センサ温度がすぐには変化しない場合がある。このような場合では、パネル表面温度が変化しているため、ＯＳ駆動電圧を変更する必要があるが、センサ温度が変化しないため、これに追従しているＯＳ駆動電圧を変更することができない。すなわち、パネル表面温度が低下したときにはＯＳ駆動電圧を高くする必要があるが、本来のＯＳ駆動電圧を液晶パネルに供給することができず、液晶の応答速度を低下させ、画質を劣化させてしまうという問題がある。【００１３】
これに対して、上記特許文献１に記載の液晶表示装置では、バックライトの発光輝度の変化に伴うパネル表面温度の変化に対して考慮されていないため、上記の問題を解決することはできない。【００１４】
また、前述した通り、上記の周囲温度を計測するための温度センサは、その本来の目的から液晶表示パネル内に設けることが望ましいが、これは表示の妨げになる等の理由により困難であるため、回路基板などの他の部材に取り付けられる。このため、バックライト光源を点灯駆動するためのインバータトランスや電源ユニット等の他の部材による発熱作用を最も受けにくい場所に温度センサを配置して、できるだけ正確に液晶表示パネルの温度を検出するようにしている。なお、センサ温度とパネル表面温度との相関は、後述の図４（Ａ）に示す３次の近似曲線で示すことができる。【００１５】
ここで、例えば、ユーザ設定等により、バックライトの発光輝度を最大から最小に変化させたときに、パネル表面温度は早く変化するが、センサ温度がすぐには変化しない場合がある。そして、バックライト輝度を最大から最小に変化させると、パネル表面温度の変化に応じてガンマ値が設定値（例えば２.２）よりずれることが分かっている。しかしながら、上記の特許文献２に記載の方法では、センサ温度に応じてゲート電圧を可変してガンマずれを調整しているため、上記のようにパネル表面温度が変化してもセンサ温度が変化しない場合には、ガンマずれを調整することはできない。【００１６】
本発明は、上述のごとき実情に鑑みてなされたもので、バックライトの発光輝度の変化によりパネル表面温度が変化した場合でも、適切なオーバーシュート駆動を実行できる液晶表示装置を提供すること、を目的とする。
また、本発明は、バックライトの発光輝度の変化によりパネル表面温度が変化した場合でも、適切なガンマ補正を実行できる液晶表示装置を提供すること、を目的とする。
【課題を解決するための手段】
【００１７】
上記課題を解決するために、本発明の第１の技術手段は、入力映像信号を表示する液晶パネルと、該液晶パネルを照射する光源と、該光源の発光輝度を制御する光源輝度制御部とを備えた液晶表示装置であって、該液晶表示装置内の温度を検出する温度検出部と、前記液晶パネルの１垂直表示期間経過後に、前記液晶パネルの透過率を前記入力映像信号の定める透過率に到達させるための強調変換パラメータを求め、該強調変換パラメータに基づいて前記液晶パネルへの印加電圧信号を出力する強調変換部と、前記光源の発光輝度が変化したときに、前記温度検出部で検出された温度に対応する前記液晶パネルのパネル表面温度を前記変化した発光輝度に基づいて補正するパネル温度補正部とを備え、前記強調変換部は、前記パネル温度補正部により補正されたパネル表面温度に基づいて、前記強調変換パラメータを可変制御することを特徴としたものである。【００１８】
第２の技術手段は、第１の技術手段において、前記光源が最大発光輝度にあるときの前記温度検出部で検出される温度と前記液晶パネルのパネル表面温度との第１の相関データと、前記光源の発光輝度と前記液晶パネルの最大発光輝度でのパネル表面温度に対する補正値との第２の相関データとを記憶したメモリを備え、前記パネル温度補正部は、前記光源の発光輝度が変化したときに、前記第１の相関データに基づいて、前記温度検出部で検出された温度に対応する前記液晶パネルの最大発光輝度でのパネル表面温度を求め、該パネル表面温度に対する前記発光輝度に基づく補正は、前記第２の相関データに基づいて行われることを特徴としたものである。【００１９】
第３の技術手段は、第１の技術手段において、前記光源の各発光輝度毎に前記温度検出部で検出される温度と前記液晶パネルのパネル表面温度との相関データを記憶したメモリを備え、前記パネル温度補正部は、前記光源の発光輝度が変化したときに、前記相関データに基づいて、前記温度検出部で検出された温度に対応する前記液晶パネルのパネル表面温度を補正することを特徴としたものである。【００２０】
第４の技術手段は、第１〜第３のいずれか１の技術手段において、前記光源の発光輝度が変化したときに、前記温度検出部で検出される温度が変化しないと判定した場合に、前記パネル温度補正部は、前記補正を行うことを特徴としたものである。【００２１】
第５の技術手段は、第１〜第４のいずれか１の技術手段において、前記液晶パネルを複数のエリアに分割するエリア分割部を備え、前記パネル温度補正部は、前記液晶パネルを分割した各エリア毎のパネル表面温度を、前記変化した発光輝度に基づいて補正し、前記強調変換部は、前記パネル温度補正部により補正されたパネル表面温度に基づいて、前記液晶パネルの各エリア毎に前記強調変換パラメータを可変制御することを特徴としたものである。【００２２】
第６の技術手段は、第５の技術手段において、前記温度検出部は、前記複数のエリアの数よりも少ない数の温度計測点を有し、該温度計測点の温度に基づいて、各エリアの周囲温度を予測することを特徴としたものである。【００２３】
第７の技術手段は、第５の技術手段において、前記温度検出部は、前記複数のエリアの数と同じ数の温度計測点を有し、該温度計測点の温度を、各エリアの周囲温度とすることを特徴としたものである。【００２４】
第８の技術手段は、入力映像信号を表示する液晶パネルと、該液晶パネルを照射する光源と、該光源の発光輝度を制御する光源輝度制御部とを備えた液晶表示装置であって、該液晶表示装置内の温度を検出する温度検出部と、前記入力映像信号にガンマ補正を行うガンマ補正部と、前記光源の発光輝度が変化したときに、前記温度検出部で検出された温度に対応する前記液晶パネルのパネル表面温度を前記変化した発光輝度に基づいて補正するパネル温度補正部とを備え、前記ガンマ補正部は、前記パネル温度補正部により補正されたパネル表面温度に対応するガンマ値を算出し、該算出したガンマ値に従って前記入力映像信号の階調値を変換して出力することを特徴としたものである。【００２５】
第９の技術手段は、第８の技術手段において、前記光源が最大発光輝度にあるときの前記温度検出部で検出される温度と前記液晶パネルのパネル表面温度との第１の相関データと、前記光源の発光輝度と前記液晶パネルの最大発光輝度でのパネル表面温度に対する補正値との第２の相関データとを記憶したメモリを備え、前記パネル温度補正部は、前記光源の発光輝度が変化したときに、前記第１の相関データに基づいて、前記温度検出部で検出された温度に対応する前記液晶パネルの最大発光輝度でのパネル表面温度を求め、該パネル表面温度に対する前記発光輝度に基づく補正は、前記第２の相関データに基づいて行われることを特徴としたものである。【００２６】
第１０の技術手段は、第８の技術手段において、前記光源の各発光輝度毎に前記温度検出部で検出される温度と前記液晶パネルのパネル表面温度との相関データを記憶したメモリを備え、前記パネル温度補正部は、前記光源の発光輝度が変化したときに、前記相関データに基づいて、前記温度検出部で検出された温度に対応する前記液晶パネルのパネル表面温度を補正することを特徴としたものである。【００２７】
第１１の技術手段は、第９又は第１０の技術手段において、前記ガンマ補正部は、前記液晶パネルの最大発光輝度でのパネル表面温度と、前記液晶表示装置に予め設定されているガンマ設定値に対する補正値との第３の相関データに基づいて、前記パネル温度補正部により補正されたパネル表面温度に対応するガンマ値を算出することを特徴としたものである。【００２８】
第１２の技術手段は、第８〜第１１のいずれか１の技術手段において、前記光源の発光輝度がユーザの操作入力により変化したときに、前記ガンマ補正部で算出されたガンマ値と前記液晶表示装置に予め設定されているガンマ設定値とが異なると判定した場合に、前記光源の発光輝度の変化と同時に、前記ガンマ設定値から前記算出したガンマ値へ変化させることを特徴としたものである。【００２９】
第１３の技術手段は、第８〜第１１のいずれか１の技術手段において、前記光源の発光輝度が周囲の明るさの変化に応じて自動的に変化したときに、前記ガンマ補正部で算出されたガンマ値と前記液晶表示装置に予め設定されているガンマ設定値とが異なると判定した場合に、前記ガンマ設定値から前記算出したガンマ値へ徐々に変化させることを特徴としたものである。【００３０】
第１４の技術手段は、第８〜第１３のいずれか１の技術手段において、前記光源の発光輝度が変化したときに、前記温度検出部で検出される温度が所定値以上変化しないと判定した場合に、前記パネル温度補正部は、前記温度検出部で検出された温度に対応する前記液晶パネルのパネル表面温度を前記発光輝度に基づいて補正することを特徴としたものである。【００３１】
第１５の技術手段は、第８〜第１４のいずれか１の技術手段において、前記ガンマ補正部は、前記パネル温度補正部により補正されたパネル表面温度に対応するガンマ値を、白、赤、緑、青毎に算出し、前記白のガンマ値と前記緑のガンマ値とが等しいと判定された場合、前記赤及び青それぞれのガンマ値と前記緑のガンマ値とが等しいか否かを判定し、前記赤及び青それぞれのガンマ値と前記緑のガンマ値とが等しくないと判定された場合、前記赤及び青それぞれのガンマ値を、前記緑のガンマ値になるように調整することを特徴としたものである。【００３２】
第１６の技術手段は、第８〜第１４のいずれか１の技術手段において、前記液晶パネルを複数のエリアに分割するエリア分割部を備え、前記パネル温度補正部は、前記液晶パネルを分割した各エリア毎のパネル表面温度を、前記変化した発光輝度に基づいて補正し、前記ガンマ補正部は、前記パネル温度補正部により補正されたパネル表面温度に基づいて、前記液晶パネルの各エリア毎にガンマ値を算出し、該算出したガンマ値に従って前記入力映像信号の階調値を各エリア毎に変換して出力することを特徴としたものである。【００３３】
第１７の技術手段は、第１６の技術手段において、前記温度検出部は、前記複数のエリアの数よりも少ない数の温度計測点を有し、該温度計測点の温度に基づいて、各エリアの周囲温度を予測することを特徴としたものである。【００３４】
第１８の技術手段は、第１６の技術手段において、前記温度検出部は、前記複数のエリアの数と同じ数の温度計測点を有し、該温度計測点の温度を、各エリアの周囲温度とすることを特徴としたものである。【００３５】
第１９の技術手段は、第１６〜第１８のいずれか１の技術手段において、前記ガンマ補正部は、前記パネル温度補正部により補正されたパネル表面温度に対応するガンマ値を、各エリアについて、白、赤、緑、青毎に算出し、前記白のガンマ値と前記緑のガンマ値とが等しいと判定された場合、前記赤及び青それぞれのガンマ値と前記緑のガンマ値とが等しいか否かを各エリア毎に判定し、前記赤及び青それぞれのガンマ値と前記緑のガンマ値とが等しくないと判定された場合、各エリア毎に、前記赤及び青それぞれのガンマ値を、前記緑のガンマ値になるように調整することを特徴としたものである。
【発明の効果】
【００３６】
本発明によれば、バックライトの発光輝度の変化によりパネル表面温度が変化した場合でも、このパネル表面温度の変化に応じてオーバーシュート駆動電圧を変更することができるため、適切なオーバーシュート駆動を実行することができる。
また、本発明によれば、バックライトの発光輝度の変化によりパネル表面温度が変化した場合でも、このパネル表面温度の変化に応じたガンマ値を算出することができるため、適切なガンマ補正を実行することができる。
【図面の簡単な説明】
【００３７】
【図１】本発明の液晶表示装置に適用可能なバックライトの構成例を示す図である。
【図２】本発明の第１の実施形態に係る液晶表示装置の概略構成例を示すブロック図である。
【図３】強調変換パラメータからなるＯＳ設定値テーブルの一例を示す図である。
【図４】センサ温度−パネル表面温度の相関を示す第１の相関データと、バックライト輝度−温度補正値の相関を示す第２の相関データとの一例を示す図である。
【図５】バックライト輝度からパネル表面温度を推定する方法の一例を説明するための図である。
【図６】図３に示したＯＳ設定値テーブルを切り替えるための強調変換パラメータ切替テーブルの一例を示す図である。
【図７】図２に示した液晶表示装置により、バックライト輝度からパネル表面温度を推定する方法の一例を説明するためのフロー図である。
【図８】本発明の他の実施形態に係る相関データの一例を示す図である。
【図９】液晶パネルを分割した各エリア毎のパネル表面温度の分布状態の一例を示す図である。
【図１０】本発明の第２の実施形態に係る液晶表示装置の概略構成例を示すブロック図である。
【図１１】ガンマ補正を行うための変換データを有するＬＵＴの一例を示す図である。
【図１２】最大発光輝度での温度センサによるセンサ温度とガンマ値との相関データの一例を示す図である。
【図１３】パネル表面温度−ガンマ補正値の相関を示す第３の相関データの一例を示す図である。
【図１４】図１０に示した液晶表示装置により、バックライト輝度からパネル表面温度を推定しガンマ補正を行う方法の一例を説明するためのフロー図である。
【図１５】本発明による色度ずれ補正方法の一例を説明するためのフロー図である。
【図１６】液晶パネルを分割した各エリア毎のパネル表面温度の分布状態の一例を示す図である。
【発明を実施するための形態】
【００３８】
以下、添付図面を参照しながら、本発明に係る液晶表示装置の好適な実施の形態について説明する。
【００３９】
図１は、本発明の液晶表示装置に適用可能なバックライトの構成例を示す図である。本例のバックライトは、アレイ型のＬＥＤバックライトとして構成されている。
バックライト１０は、シャーシ１０５上に、複数のＬＥＤ基板１０１が配置されている。ＬＥＤ基板１０１は、横長矩形の短冊形状を有しており、矩形の長手方向が液晶表示装置の画面の水平方向に一致するように配置されている。
【００４０】
図１の例は、４０インチの画面の液晶表示装置に適用されるアレイ型ＬＥＤバックライト１０を例示している。ここでは、ＬＥＤ基板１０１が横方向に２分割され、各列２枚のＬＥＤ基板１０１が縦方向に１０列配置されている。横方向に２分割する理由として、一般に、ＬＥＤ基板１０１には、製造時における縦横の最大外形寸法、即ち定尺が存在する。定尺は、ＬＥＤ基板１０１の材料や製造装置によって異なるが、例えば縦が５１０ｍｍ、横が３４０ｍｍなどとなっている。このため、ＬＥＤ基板１０１の縦横のいずれかの数法が定尺を超える場合は、そのＬＥＤ基板１０１を幾つかに分割して作製される。
なお、本発明に係る実施形態では、このようなＬＥＤ基板１０１の横方向への分割は必須ではなく、ここでは本発明の適用可能な構成例を示している。
【００４１】
各ＬＥＤ基板１０１には、複数個（ここでは８個）のＬＥＤ１０２が、直線状に並んで配置されている。つまり、図１のアレイ型ＬＥＤバックライト１０には、画面全体で、合計１６０個のＬＥＤ１０２が使用されている。また、全体としてＬＥＤ１０２は、六方格子状に配置されている。六方格子配置では、あるＬＥＤ１０２を中心として形成される仮想的な正六角形の頂点に他のＬＥＤ１０２が配置されるようになっている。これにより、バックライト１０は、液晶パネルに対し、均一なバックライト光を照射することができる。
【００４２】
各ＬＥＤ基板１０１に実装されたＬＥＤ１０２は、各ＬＥＤ基板１０１に形成された配線パターン（図示せず）により、互いに直列に接続されている。また、水平方向に２分割したＬＥＤ基板１０１間を接続するためにハーネス１０３が設けられ、さらに一方のＬＥＤ基板１０１と外部のドライバ基板とを接続するためにハーネス１０４が設けられる。さらに、ハーネス１０３，１０４が接続されるコネクタ１０６が、各ＬＥＤ基板１０１に設置される。各ＬＥＤ基板１０１は、各コネクタ１０６の近傍に配置された図示しないネジにより、シャーシ１０５に固定されている。
【００４３】
バックライト１０は、図示しないドライバ基板(駆動回路基板)上に搭載されたＬＥＤドライバを備えている。ＬＥＤドライバは、直列接続されたＬＥＤ１０２に電流を供給し、電流またはＰＷＭ（パルス幅変調）制御、あるいはこの両方により、ＬＥＤ１０２を駆動する。これにより、２枚を１列として縦方向に複数列並んだＬＥＤ基板１０１の１列毎のユニットを、それぞれ独立して駆動することができる。
【００４４】
なお、通常、ＬＥＤの数は、画面の大きさに応じて異なる。上記の例では、４０インチの画面の液晶表示装置では、２枚を１列としたＬＥＤ基板１０１のユニット数は１０であるが、例えば、３２インチではユニット数は９であり、４６インチではユニット数は１２であって、適宜、画面の大きさや必要とする輝度等に応じてＬＥＤ基板１０１のユニット数（つまりＬＥＤの数）が変更される。これらＬＥＤの数と１基板当たりのＬＥＤ数は、その例を示すものであり、本発明では、ＬＥＤの数やユニット数を限定するものではない。
【００４５】
また、本発明に係る液晶表示装置では、バックライトとして上記のようなアレイ型のＬＥＤバックライトのみならず、両面とほぼ同じ大きさの基板にＬＥＤを敷き詰めたマトリクス型のＬＥＤバックライトや、複数のＣＣＦＬ（冷陰極管）を並列させたバックライトに対しても適用できる。以下の例では、アレイ型のＬＥＤバックライトを用いるものとして説明する。
【００４６】
（第１の実施形態）
図２は、本発明の第１の実施形態に係る液晶表示装置の概略構成例を示すブロック図である。液晶表示装置は、フレーム周波数変換部１、強調変換部２、ＲＯＭ３、電極駆動部４、液晶パネル５、フレームメモリ６、同期抽出部７、メインマイコン８、光源駆動部９、バックライト１０、メモリ１１、モニタマイコン１２、温度センサ１３、受光部１４、及びエリア分割部１５を備えている。
同期抽出部７は、入力画像信号（例えば、６０Ｈｚのプログレッシブスキャン信号）から垂直／水平同期信号を抽出する。メインマイコン８は、制御ＣＰＵを含み、同期抽出部７で抽出された垂直／水平同期信号に基づいて、各部の動作制御を行う。フレーム周波数変換部１は、メインマイコン８からの制御信号に基づいて、入力画像信号のフレーム周波数を例えば２倍（１２０Ｈｚ）に変換する。なお、本例では、フレーム周波数変換部１を備えるものとして説明するが、このフレーム周波数変換部１を含まない構成としてもよい。
【００４７】
フレーム周波数変換部１は、メインマイコン８からの制御信号に基づいて、２入力画像信号の１フレーム分の画像を倍のフレーム周波数（１２０Ｈｚ）となるように周波数変換を行う。これにより、液晶パネル５に対するフレーム表示周期（垂直表示周期）が１／１２０秒（約８.３msec）の画像信号を連続して出力する。
【００４８】
ＲＯＭ３には、特定のパネル表面温度における、１フレーム期間（垂直表示期間＝約８.３msec）内で現垂直表示期間の画像データ（Current Data）の目標階調に液晶を応答させるための強調変換パラメータが格納されている。ここでは、図３に示すように、１垂直表示期間前後における３２階調毎の９つの代表階調についての強調変換パラメータからなるＯＳ（オーバーシュート）設定値テーブルが格納されている。なお、これらの階調変換パラメータは液晶パネル５の光学応答特性の実測値により求められるものである。
【００４９】
フレームメモリ６には、液晶パネル５に対するフレーム表示周期（垂直表示周期＝８.３msec）で画像データの書き込み／読み出しが行われ、現フレーム期間の画像データ(Current Data)が書き込まれると共に、１フレーム期間前の画像データ(Previous Data)が読み出されて、強調変換部２に出力される。
【００５０】
強調変換部２は、１フレーム期間前後における画像データの階調遷移から、ＲＯＭ３のＯＳ設定値テーブルを参照して、対応する階調変換パラメータを読み出し、この階調変換パラメータを用いて１フレーム期間の経過後に液晶が現画像データの定める透過率となる強調変換信号（書込階調データ）を求め、電極駆動部４に出力する。電極駆動部４は、入力画像信号の１フレーム周期で画像信号の書込走査を行う。
【００５１】
また、メインマイコン８は、同期抽出部７で抽出された垂直同期信号に基づいて、バックライト１０の点灯・消灯を制御する制御信号を光源駆動部９に出力する。光源駆動部９は、例えば、ＦＰＧＡ(Field Programmable Gate Array)で構成され、メインマイコン８から出力された制御信号に従って、バックライト１０の点灯制御を行う。
【００５２】
なお、本実施形態において、ＲＯＭ３に強調変換パラメータを格納しているが、ＲＯＭ３を用いる代わりに、例えば遷移前の階調と遷移後の階調とを変数とする２次元関数ｆ(pre,cur)を用意しておき、これを用いて垂直表示周期（走査周期）に対する液晶パネル５の光学応答特性を補償する強調変換パラメータを求める構成としてもよい。
【００５３】
また、本実施形態のように、遷移前の階調と遷移後の階調とをアドレスとした２次元マトリクス状のテーブルを記憶したＲＯＭ３を設けることにより、入力画像信号のフレーム周波数を任意のＮ（Ｎ＝自然数）倍に変換し、１／Ｎに短縮された垂直表示期間前後における画像信号の階調遷移に基づいて、オーバーシュート駆動を行うことが可能である。
【００５４】
また、モニタマイコン１２は、ユーザが操作するリモコン（図示せず）からの操作信号を受光する受光部１４と接続されると共に、サーミスタ等の温度センサ１３と接続される。温度センサ１３は、例えば、液晶表示装置内の回路基板などに設置され、装置内温度を計測する。以下、この温度センサ１３により計測される温度をセンサ温度という。また、モニタマイコン１２は、メインマイコン８と接続され、リモコンからの操作信号や温度センサ１３からのセンサ温度などをメインマイコン８へ伝送する。
【００５５】
また、メモリ１１には、後述の図４に示す相関データ、すなわち、バックライト１０が最大発光輝度にあるときの温度センサ１３で検出される温度と液晶パネル５のパネル表面温度との第１の相関データと、バックライト１０の発光輝度と液晶パネル５の最大発光輝度でのパネル表面温度に対する補正値との第２の相関データとが格納されており、メインマイコン８は、これらの相関データを必要に応じて参照することができる。
【００５６】
本発明の主たる特徴部分は、バックライトの発光輝度の変化によりパネル表面温度が変化した場合でも、適切なオーバーシュート駆動を実行できるようにすることにある。このための構成として、液晶表示装置は、入力映像信号を表示する液晶パネル５と、液晶パネル５を照射する光源であるバックライト１０と、バックライト１０の発光輝度を制御する光源輝度制御部とを備える。この光源輝度制御部は、メインマイコン８及び光源駆動部９により実現される。
【００５７】
また、液晶表示装置は、液晶表示装置内の温度を検出する温度検出部に相当する温度センサ１３と、液晶パネル５の１垂直表示期間経過後に、液晶パネル５の透過率を入力映像信号の定める透過率に到達させるための強調変換パラメータを求め、強調変換パラメータに基づいて液晶パネル５への印加電圧信号を出力する強調変換部２と、バックライト１０の発光輝度が変化したときに、温度センサ１３で検出された温度に対応する液晶パネル５のパネル表面温度を、変化した発光輝度に基づいて補正するパネル温度補正部とを備え、強調変換部２は、パネル温度補正部により補正されたパネル表面温度に基づいて、強調変換パラメータを可変制御する。なお、パネル温度補正部はメインマイコン８により実現される。以下、本発明によるバックライト輝度の変化に応じたパネル表面温度推定方法の具体例について説明する。
【００５８】
図４は、センサ温度−パネル表面温度の相関を示す第１の相関データと、バックライト輝度−温度補正値の相関を示す第２の相関データとの一例を示す図である。図４（Ａ）は、第１の相関データの例を示し、縦軸はパネル表面温度（単位：℃）、横軸はセンサ温度（単位：℃）である。この第１の相関データは、実際に、バックライト１０を最大発光輝度（デュティ１００％）にして、センサ温度とパネル表面温度との相関を取ったもので、関数Ｔ１＝ｆ１（Ｔｓ）で３次近似することができる。例えば、
ｙ＝（５×１０−５）ｘ３−０.００４ｘ２＋１.２３０ｘ−０.０４６  …式（１）
Ｒ２＝０.９９９（Ｒ２は相関係数）
と表すことができる。
【００５９】
また、図４（Ｂ）は、第２の相関データの例を示し、横軸はバックライト輝度（デュティ比、単位：％）、縦軸は温度補正値（パネル表面温度の変化量、単位：℃）である。この第２の相関データは、実際に、バックライト輝度（デュティ比）と最大発光輝度でのパネル表面温度に対する補正値との相関を取ったもので、関数ΔＴ＝ｆ２（Ｂ）で直線近似することができる。デュティ１００％としたときの温度補正値を０とし、デュティ比を下げていくと直線的に温度補正値が下がっていくことがわかる。
【００６０】
図５は、バックライト輝度からパネル表面温度を推定する方法の一例を説明するための図である。本例の液晶表示装置では、ユーザによる操作で設定可能な項目として、「輝度（明るさ）」という項目が設けられている。ユーザが設定し易いように、バックライト輝度を＋１６（最大輝度）〜−１６（最小輝度）までの３３段階に分けて、各段階がそれぞれバックライトデュティに対応付けられている。例えば、ユーザがリモコン等により輝度「＋１４」を設定すると、バックライトデュティとして「９５.０％」が設定される。
【００６１】
ここで、例えば、ユーザがリモコン等を操作して最大輝度＋１６から所望の輝度（例えば、＋１４）に変更すると、センサ温度は変化しないが、パネル表面温度は変化するため、以下の方法によりバックライトデュティからパネル表面温度を推定する。
【００６２】
前述の図２に示した液晶表示装置において、モニタマイコン１２が、ユーザ操作によるバックライトデュティの変更を検知すると、温度センサ１３のセンサ温度を検出する。そして、モニタマイコン１２は、検出したセンサ温度をメインマイコン８に伝送する。メインマイコン８では、モニタマイコン１２からセンサ温度を定期的に受け取っているため、デュティ変更時のセンサ温度とその直前のセンサ温度とを比較し、温度が変化したか否かを判定することができる。そして、メインマイコン８は、デュティ変更時のセンサ温度に基づいて、図４（Ａ）に示す第１の相関データを参照し、デュティ１００％時のセンサ温度に対応するパネル表面温度を求める。このときのパネル表面温度が、図５におけるパネル表面温度の「Ａ」に相当する。
【００６３】
次に、メインマイコン８は、ユーザにより変更された輝度（＋１４）により、図４（Ｂ）に示す第２の相関データを参照し、バックライトデュティに対応する温度補正値を求める。図４（Ｂ）に示すように、バックライトデュティと温度補正値との関係は線形近似できるため、本例の場合、輝度を１段階変化させたときに、パネル表面温度がａ℃変化するものとして説明する。本例の場合、デュティ１００％の輝度（＋１６）から２段階下げた輝度（＋１４）に変更したため、パネル表面温度の変化量は「２ａ」となることがわかる。
【００６４】
そして、メインマイコン８は、バックライト１０の輝度（＋１４）に対応するパネル表面温度を、「Ａ−２ａ」℃として推定することができる。前述の関数で表すと、パネル表面温度Ｔｐ＝Ｔ１＋ΔＴ＝ｆ１（Ｔｓ）＋ｆ２（Ｂ）となる。すなわち、メインマイコン８は、バックライト１０の発光輝度が変化したときに、メモリ１１に格納された第１の相関データ（図４（Ａ））に基づいて、温度センサ１３で検出された温度に対応する液晶パネル５の最大発光輝度でのパネル表面温度を求め、このパネル表面温度に対して、メモリ１１に格納された第２の相関データ（図４（Ｂ））に基づいて実際の発光輝度による補正を行う。これにより、輝度変化に対応した正確なパネル表面温度を推定することができる。
【００６５】
図６は、図３に示したＯＳ設定値テーブルを切り替えるための強調変換パラメータ切替テーブルの一例を示す図である。この強調変換パラメータ切替テーブルはメモリ１１（又はＲＯＭ３）に格納されている。テーブル番号は例えば前述の図３に示す強調変換パラメータからなるＯＳ設定値テーブルの番号であって、本例では０〜７のテーブル番号に対応した８種類のＯＳ設定値テーブルがＲＯＭ３に格納されている。
【００６６】
そして、これら８種類のＯＳ設定値テーブルがそれぞれセンサ温度及びパネル表面温度に対応付けされており、この強調変換パラメータ切替テーブルにより切り替えることができる。このセンサ温度とパネル表面温度との関係は、前述の図４（Ａ）に示した第１の相関データにより求めたものである。すなわち、デュティ１００％（最大発光輝度）のときのセンサ温度とパネル表面温度との相関関係から求めたものである。
【００６７】
図６において、例えば、センサ温度が０℃〜１℃未満（パネル表面温度が０℃〜１２℃未満）の場合、テーブル番号が「０」のＯＳ設定値テーブルが選択され、センサ温度が１℃以上５℃未満（パネル表面温度が１２℃以上１７℃未満）の場合、テーブル番号が「１」のＯＳ設定値テーブルが選択される。以下同様にして、センサ温度に応じて８種類のＯＳ設定値テーブルのいずれかが選択される。
【００６８】
前述の図２において、メインマイコン８は、前述の図５で説明した本発明の方法により求めたパネル表面温度により、メモリ１１に格納されている強調変換パラメータ切替テーブル（図６）を参照し、テーブル番号を決定し、このテーブル番号を強調変換部２に出力する。強調変換部２は、メインマイコン８からのテーブル番号に基づいて、ＲＯＭ３のＯＳ設定値テーブルを決定する。そして、強調変換部２は、１フレーム期間前後における画像データの階調遷移から、上記決定したＯＳ設定値テーブルを参照して、対応する階調変換パラメータを読み出し、この階調変換パラメータを用いて１フレーム期間の経過後に液晶が現画像データの定める透過率となる強調変換信号（書込階調データ）を求め、電極駆動部４に出力する。電極駆動部４は、入力画像信号の１フレーム周期で画像信号の書込走査を行う。
【００６９】
このように、従来の方法では、センサ温度が変化しないと、ＯＳ設定値テーブルを切り替えることができなかったが、本発明の方法によれば、バックライトの発光輝度が変化したときに、最大発光輝度でのセンサ温度−パネル表面温度の相関データに基づいて、温度センサで検出した温度に対応する液晶パネルのパネル表面温度を求め、このパネル表面温度に対して、変化した発光輝度に基づく補正を行うことができるため、輝度変化に対応した正確なパネル表面温度を推定し、これによりＯＳ設定値テーブルを切り替えることができる。
【００７０】
例えば、図６において、バックライト最大輝度では、センサ温度が５℃以上１１℃未満の場合、パネル表面温度が１７℃以上２２℃未満と推定され、テーブル番号２のＯＳ設定値テーブルが選択される。ここで、バックライト輝度が変化したときに、センサ温度が変化せずにパネル表面温度だけが例えば１６℃に変化し、上記の１７℃以上２２℃未満の範囲を外れた場合、本来テーブル番号１のＯＳ設定値テーブルに切り替える必要がある。従来方法では、センサ温度がすぐには変化しないため、テーブル番号１のテーブルに切り替えることはできないが、本発明の方法によれば、パネル表面温度の１６℃を推定することができるため、テーブル番号１のテーブルに切り替えることができる。
【００７１】
図７は、図２に示した液晶表示装置により、バックライト輝度からパネル表面温度を推定する方法の一例を説明するためのフロー図である。まず、メインマイコン８は、ユーザ設定等により、バックライト１０の輝度が変更されたか否かを判定し（ステップＳ１）、バックライト１０の輝度が変更されないと判定した場合（ＮＯの場合）、ステップＳ１で待機状態に移行する。また、ステップＳ１において、バックライト１０の輝度が変更されたと判定した場合（ＹＥＳの場合）、温度センサ１３で検出したセンサ温度を検出する（ステップＳ２）。
【００７２】
そして、メインマイコン８は、バックライト１０の輝度変化の前後において、センサ温度が変化したか否かを判定する（ステップＳ３）。このセンサ温度の変化は、例えば、所定値（例えば、２℃）以上変化したかを判定するようにしてもよい。このステップＳ３において、センサ温度が変化したと判定した場合（ＹＥＳの場合）、変化したセンサ温度によりＯＳ設定値テーブルの切り替えが必要か否かを判定する（ステップＳ４）。また、ステップＳ３において、センサ温度が変化していないと判定した場合（ＮＯの場合）、センサ温度に基づいて第１の相関データ（図４（Ａ））を参照し、対応するパネル表面温度を求める（ステップＳ５）。
【００７３】
次に、メインマイコン８は、ステップＳ５で求めたパネル表面温度を、図４（Ｂ）に示した第２の相関データを参照し、変更されたバックライトの発光輝度に基づいて補正する（ステップＳ６）。そして、メインマイコン８は、図６に示した強調変換パラメータ切替テーブルを参照し、補正後のパネル表面温度に対応するＯＳ設定値テーブル（テーブル番号）を特定し（ステップＳ７）、テーブルの切り替えが必要か否かを判定する（ステップＳ８）。
【００７４】
そして、ステップＳ８において、ＯＳ設定値テーブルの切り替えが必要と判定した場合（ＹＥＳの場合）、強調変換部２は、ＲＯＭ３にアクセスし、切り替えられたＯＳ設定値テーブルにより強調変換パラメータを求め（ステップＳ９）、強調変換パラメータに基づいて液晶パネル５への印加電圧信号を出力する（ステップＳ１０）。また、ステップＳ８において、ＯＳ設定値テーブルの切り替えが必要でないと判定した場合（ＮＯの場合）、強調変換部３は、ＲＯＭ３にアクセスし、現在のＯＳ設定値テーブルにより強調変換パラメータを求め（ステップＳ１１）、ステップＳ１０に移行する。
【００７５】
また、上記のステップＳ４において、変化したセンサ温度によりテーブルの切り替えが必要と判定した場合（ＹＥＳの場合）、ステップＳ９に移行し、また、ステップＳ４において、テーブルの切り替えが必要ではないと判定した場合（ＮＯの場合）、ステップＳ５に移行する。
【００７６】
ここで、本発明の他の実施形態について説明する。前述の図４（Ａ）では、実際に、バックライト１０を最大発光輝度（バックライトデュティ１００％）にして、センサ温度とパネル表面温度との相関を取っているが、この相関を各バックライトデュティ毎に取っておいてもよい。例えば、図８に示すように、バックライトデュティ（輝度）１００％，９０％，８０％，…というように相関データを求めておき、これら複数の相関データをメモリ１１に記憶しておく。この輝度の間隔は１０％に限定されず適宜設定すればよい。そして、メインマイコン８は、輝度が９０％に変化した場合には、輝度９０％の相関データを参照し、このときのセンサ温度に対応するパネル表面温度を求める。このように、各発光輝度毎の相関データを用いた方法でも、前述の第１の相関データ及び第２の相関データを用いた方法と同様に、バックライト輝度の変化に応じたパネル表面温度を求めることができる。
【００７７】
本発明のさらに他の実施形態について説明する。これまで液晶パネル５の略中心付近のパネル表面温度を求めていたが、このパネル表面温度には液晶パネル５のエリアによってバラツキが存在する。このため、エリアによっては適切なＯＳ駆動が実行されない可能性がある。そこで、本実施形態では、液晶パネル５を複数のエリアに分割し、各エリア毎にパネル表面温度を求める。そして、各エリア毎のパネル表面温度に対して、変化した発光輝度に基づく補正を行う。
【００７８】
図９は、液晶パネル５を分割した各エリア毎のパネル表面温度の分布状態の一例を示す図である。前述の図２に示した液晶表示装置は、液晶パネル５を複数のエリアに分割するエリア分割部１５を備える。本例では液晶パネル５をエリア５ａ〜５ｉの９つのエリアに分割しているが、これらエリア５ａ〜５ｉそれぞれについて前述の図４（Ａ）に示した第１の相関データ及び図４（Ｂ）に示した第２の相関データをメモリ１１に格納する。つまり、各エリアに応じた第１の相関データ及び第２の相関データを予め準備し、これらをメモリ１１に格納しておく。
【００７９】
図２において、メインマイコン８は、第１の相関データ及び第２の相関データに基づいて、液晶パネル５を分割した各エリア毎のパネル表面温度を、変化した発光輝度に基づいて補正し、強調変換部２は、メインマイコン８により補正されたパネル表面温度に基づいて、液晶パネル５の各エリア毎に強調変換パラメータを可変制御する。
【００８０】
すなわち、モニタマイコン１２は、ユーザ操作によるバックライトデュティの変更を検知すると、温度センサ１３のセンサ温度をエリア５ａ〜５ｉそれぞれについて検出する。ここで、温度センサ１３は、複数のエリアの数よりも少ない数の温度計測点を有し、温度計測点の温度に基づいて、各エリアのセンサ温度（周囲温度）を予測するようにしてもよい。本例の場合、エリアの数は９つであるため、温度計測点は１〜８ヶ所の間で設定することができる。例えば、パネル中心のエリア５ｅ近傍に温度計測点を設けた場合、この温度計測点の温度を、エリア５ｅのセンサ温度とする。そして、その他のエリア５ａ〜５ｄ，５ｆ〜５ｉのセンサ温度は、エリア５ｅのセンサ温度（すなわち、温度計測点の温度）から予測する。具体的には、エリア５ａ〜５ｄ，５ｆ〜５ｉそれぞれの温度と、エリア５ｅの温度との温度差を予め計測しておき、この温度差に基づいて予測することができる。また、温度センサ１３は、複数のエリアの数と同じ数の温度計測点を有し、温度計測点の温度を、各エリアのセンサ温度としてもよい。本例の場合、エリアの数は９つであるため、温度計測点は９ヶ所となる。具体的には、９つのエリア５ａ〜５ｉの近傍に温度計測点を設け、各温度計測点の温度を、各エリア５ａ〜５ｉのセンサ温度とする。
【００８１】
モニタマイコン１２は、上記により検出したエリア５ａ〜５ｉのセンサ温度をメインマイコン８に伝送する。メインマイコン８では、モニタマイコン１２からエリア５ａ〜５ｉのセンサ温度を定期的に受け取っているため、各エリア毎にデュティ変更時のセンサ温度とその直前のセンサ温度とを比較し、温度が変化したか否かを判定することができる。そして、メインマイコン８は、例えば、エリア５ａについて、デュティ変更時のセンサ温度に基づいて、図４（Ａ）に示した第１の相関データを参照し、デュティ１００％時のセンサ温度に対応するパネル表面温度を求める。このときのパネル表面温度が、前述の図５におけるパネル表面温度の「Ａ」に相当する。なお、パネル表面温度の「Ａ」は、各エリアのセンサ温度に応じて変化する値であり、図９の例の場合、エリア５ａのパネル表面温度は４２.１℃である。
【００８２】
次に、メインマイコン８は、エリア５ａについて、ユーザにより変更された輝度（＋１４）により、図４（Ｂ）に示した第２の相関データを参照し、バックライトデュティに対応する温度補正値を求める。図５の例の場合、デュティ１００％の輝度（＋１６）から２段階下げた輝度（＋１４）に変更したため、パネル表面温度の変化量は「２ａ」となることがわかる。なお、このパネル表面温度の変化量の「ａ」は、輝度を１段階変化させたときにパネル表面温度がａ℃変化することを示すが、これは各エリアに応じて異なる値となる。
【００８３】
そして、メインマイコン８は、バックライト１０の輝度（＋１４）に対応するエリア５ａのパネル表面温度を、「Ａ−２ａ」℃として推定することができる。その他のエリア５ｂ〜５ｉについても同様の方法で推定することができる。前述の関数で表すと、各エリアのパネル表面温度はＴｐ＝Ｔ１＋ΔＴ＝ｆ１（Ｔｓ）＋ｆ２（Ｂ）となる。すなわち、メインマイコン８は、バックライト１０の発光輝度が変化したときに、メモリ１１に格納された第１の相関データ（図４（Ａ））に基づいて、温度センサ１３で検出された各エリア毎のセンサ温度に対応する液晶パネル５の最大発光輝度でのパネル表面温度を求め、この各エリア毎のパネル表面温度に対して、メモリ１１に格納された各エリア毎の第２の相関データ（図４（Ｂ））に基づいて実際の発光輝度による補正を行う。このようにして、液晶パネル５の各エリア毎に、輝度変化に対応した正確なパネル表面温度を推定することができる。
【００８４】
次に、メインマイコン８は、上記のようにして推定された各エリア毎のパネル表面温度により、前述の図６に示した強調変換パラメータ切替テーブルを参照し、テーブル番号を決定し、このテーブル番号を強調変換部２に出力する。強調変換部２での処理は前述した通りであるため、ここでの説明は省略する。
【００８５】
なお、以上においてはバックライトの輝度をユーザ設定により変化させるものとして説明したが、本発明は、液晶パネル（画面）の平均輝度（APL：Average Picture Level）に応じて、自動的にバックライト輝度を変化させるアクティブバックライト技術を適用した場合でも同様に実施可能であることは言うまでもない。
【００８６】
（第２の実施形態）
図１０は、本発明の第２の実施形態に係る液晶表示装置の概略構成例を示すブロック図である。液晶表示装置は、第１の実施形態と同様に、フレーム周波数変換部１、ＲＯＭ３、電極駆動部４、液晶パネル５、同期抽出部７、メインマイコン８、光源駆動部９、バックライト１０、メモリ１１、モニタマイコン１２、温度センサ１３、受光部１４、及びエリア分割部１５を備え、さらに、ガンマ補正部１６を備えている。なお、同じ符号が付された部分について繰り返しの説明は省略するものとする。
【００８７】
ＲＯＭ３には、入力画像信号にガンマ補正を行うための変換データを有するＬＵＴなどが格納されている。このＬＵＴの例を図１１に示す。ガンマ補正部１６は、入力画像信号にガンマ補正を行う際に、図１１のＬＵＴを参照することにより、入力画像信号の階調値を変換し、変換後の画像信号を電極駆動部４に出力する。電極駆動部４は、入力画像信号の１フレーム周期で画像信号の書込走査を行う。
【００８８】
ここで、ガンマ補正を行う場合、ガンマ値をγ、ガンマ補正前の輝度値をｂｒｂ（０〜２５５）、ガンマ補正後の輝度値をｂｒａ（０〜２５５）とすると、補正式は、下記の式（２）で示される。
ｂｒａ＝（ｂｒｂ／２５５）１／γ・２５５  …式（２）
しかし、上記式（２）の計算を全ての画素に対して行うのは非効率的であるため、例えば、γ＝２.２の場合について、上記式（２）の計算を予め行っておき、この計算結果を図１１に示すようなＬＵＴとして格納しておくことで、効率的に処理を行うことができる。なお、以下の説明では液晶表示装置（液晶パネル５）に予め設定されているガンマ設定値を２.２とする。
【００８９】
また、メインマイコン８は、同期抽出部７で抽出された垂直同期信号に基づいて、バックライト１０の点灯・消灯を制御する制御信号を光源駆動部９に出力する。光源駆動部９は、例えば、ＦＰＧＡ（Field Programmable Gate Array）で構成され、メインマイコン８から出力された制御信号に従って、バックライト１０の点灯制御を行う。
【００９０】
また、モニタマイコン１２は、ユーザが操作するリモコン（図示せず）からの操作信号を受光する受光部１４と接続されると共に、サーミスタ等の温度センサ１３と接続される。温度センサ１３は、例えば、液晶表示装置内の回路基板などに設置され、装置内温度を計測する。以下、この温度センサ１３により計測される温度をセンサ温度という。また、モニタマイコン１２は、メインマイコン８と接続され、リモコンからの操作信号や温度センサ１３からのセンサ温度などをメインマイコン８へ伝送する。
【００９１】
また、メモリ１１には、前述の図４に示した相関データ、すなわち、バックライト１０が最大発光輝度にあるときの温度センサ１３で検出される温度と液晶パネル５のパネル表面温度との第１の相関データと、バックライト１０の発光輝度と液晶パネル５の最大発光輝度でのパネル表面温度に対する補正値との第２の相関データとが格納されており、メインマイコン８は、これらの相関データを必要に応じて参照することができる。
【００９２】
本発明の主たる特徴部分は、バックライトの発光輝度の変化によりパネル表面温度が変化した場合でも、適切なガンマ補正を実行できるようにすることである。このための構成として、液晶表示装置は、入力映像信号を表示する液晶パネル５と、液晶パネル５を照射する光源であるバックライト１０と、バックライト１０の発光輝度を制御する光源輝度制御部とを備える。この光源輝度制御部は、メインマイコン８及び光源駆動部９により実現される。
【００９３】
また、液晶表示装置は、液晶表示装置内の温度を検出する温度検出部に相当する温度センサ１３と、入力映像信号にガンマ補正を行うガンマ補正部１６と、バックライト１０の発光輝度が変化したときに、温度センサ１３で検出された温度に対応する液晶パネル５のパネル表面温度を、変化した発光輝度に基づいて補正するパネル温度補正部とを備え、ガンマ補正部１６は、パネル温度補正部により補正されたパネル表面温度に対応するガンマ値を算出し、算出したガンマ値に従って入力映像信号の階調値を変換して出力する。なお、パネル温度補正部はメインマイコン８により実現される。
【００９４】
図１２は、最大発光輝度での温度センサ１３によるセンサ温度とガンマ値との相関データの一例を示す図で、縦軸はガンマ値、横軸はセンサ温度（単位：℃）である。この実線で示す相関データは、実際に、バックライト１０を最大発光輝度（デュティ１００％）にして、センサ温度とガンマ値との相関（実測値）を取ったもので、３次近似することができる。なお、図１０の液晶表示装置は、例えば、センサ温度が２５℃（常温）で且つ最大発光輝度のときに、ガンマ値が２.２になるように設定されている。この相関データによれば、センサ温度が高くなると、ガンマ値が低くなる傾向があることがわかる。
【００９５】
図１２に示す最大発光輝度での相関データはＲＯＭ３に格納されており、ガンマ補正部１６により適宜参照することができる。ガンマ補正部１６は、センサ温度が変化した場合には、ＲＯＭ３の相関データを参照し、対応するガンマ値を算出することができる。そして、ガンマ補正部１６は、算出したガンマ値に従って入力画像信号を変換して出力する。このときのガンマ補正は、前述の式（２）を用いてもよいし、あるいは、代表的な複数のガンマ値のＬＵＴを予めＲＯＭ３に保持しておき、該当するＬＵＴを参照することで行ってもよい。
【００９６】
ここで、ユーザ設定等により、バックライト１０の発光輝度を最大から最小に変化させたときに、パネル表面温度は早く変化するが、センサ温度がすぐには変化しない場合がある。そして、前述したように、バックライト輝度を最大から最小に変化させると、図１２の点線で示す相関データのように、同一センサ温度（２５℃）において、ガンマ値が設定値（２.２）よりずれることが分かっている。
【００９７】
しかしながら、図１２に示す最大発光輝度での相関データでは、センサ温度が変化しないと、ガンマ値の変化を検出することができない。このような場合でも適切なガンマ補正を行うためには、バックライト輝度の変化に応じたパネル表面温度を推定し、このパネル表面温度とガンマ値との相関を取る必要がある。
【００９８】
前述の図４において、センサ温度−パネル表面温度の相関を示す第１の相関データと、バックライト輝度−温度補正値の相関を示す第２の相関データとの一例を示す。図４（Ａ）は、第１の相関データの例を示し、縦軸はパネル表面温度（単位：℃）、横軸はセンサ温度（単位：℃）である。この第１の相関データは、実際に、バックライト１０を最大発光輝度（デュティ１００％）にして、センサ温度とパネル表面温度との相関を取ったもので、関数Ｔ１＝ｆ１（Ｔｓ）で３次近似することができる。例えば、前述の式（１）で表すことができる。
【００９９】
また、図４（Ｂ）は、第２の相関データの例を示し、横軸はバックライト輝度（デュティ比、単位：％）、縦軸は温度補正値（パネル表面温度の変化量、単位：℃）である。この第２の相関データは、実際に、バックライト輝度（デュティ比）と最大発光輝度でのパネル表面温度に対する補正値との相関を取ったもので、関数ΔＴ＝ｆ２（Ｂ）で直線近似することができる。デュティ１００％としたときの温度補正値を０とし、デュティ比を下げていくと直線的に温度補正値が下がっていくことがわかる。
【０１００】
ここで、前述の図５で説明したように、本例の液晶表示装置では、ユーザによる操作で設定可能な項目として、「輝度（明るさ）」という項目が設けられている。ユーザが設定し易いように、バックライト輝度を＋１６（最大輝度）〜−１６（最小輝度）までの３３段階に分けて、各段階がそれぞれバックライトデュティに対応付けられている。例えば、ユーザがリモコン等により輝度「＋１４」を設定すると、バックライトデュティとして「９５.０％」が設定される。
【０１０１】
ここで、例えば、ユーザがリモコン等を操作して最大輝度＋１６から所望の輝度（例えば、＋１４）に変更すると、センサ温度は変化しないが、パネル表面温度は変化するため、以下の方法によりバックライトデュティからパネル表面温度を推定する。
【０１０２】
前述の図１０に示した液晶表示装置において、モニタマイコン１２が、ユーザ操作によるバックライトデュティの変更を検知すると、温度センサ１３のセンサ温度を検出する。そして、モニタマイコン１２は、検出したセンサ温度をメインマイコン８に伝送する。メインマイコン８では、モニタマイコン１２からセンサ温度を定期的に受け取っているため、デュティ変更時のセンサ温度とその直前のセンサ温度とを比較し、温度が変化したか否かを判定することができる。そして、メインマイコン８は、デュティ変更時のセンサ温度に基づいて、図４（Ａ）に示す第１の相関データを参照し、デュティ１００％時のセンサ温度に対応するパネル表面温度を求める。このときのパネル表面温度が、図５におけるパネル表面温度の「Ａ」に相当する。
【０１０３】
次に、メインマイコン８は、ユーザにより変更された輝度（＋１４）により、図４（Ｂ）に示す第２の相関データを参照し、バックライトデュティに対応する温度補正値を求める。図４（Ｂ）に示すように、バックライトデュティと温度補正値との関係は線形近似できるため、本例の場合、輝度を１段階変化させたときに、パネル表面温度がａ℃変化するものとして説明する。本例の場合、デュティ１００％の輝度（＋１６）から２段階下げた輝度（＋１４）に変更したため、パネル表面温度の変化量は「２ａ」となることがわかる。
【０１０４】
そして、メインマイコン８は、バックライト１０の輝度（＋１４）に対応するパネル表面温度を、「Ａ−２ａ」℃として推定することができる。前述の関数で表すと、パネル表面温度Ｔｐ＝Ｔ１＋ΔＴ＝ｆ１（Ｔｓ）＋ｆ２（Ｂ）となる。すなわち、メインマイコン８は、バックライト１０の発光輝度が変化したときに、メモリ１１に格納された第１の相関データ（図４（Ａ））に基づいて、温度センサ１３で検出された温度に対応する液晶パネル５の最大発光輝度でのパネル表面温度を求め、このパネル表面温度に対して、メモリ１１に格納された第２の相関データ（図４（Ｂ））に基づいて実際の発光輝度による補正を行う。これにより、輝度変化に対応した正確なパネル表面温度を推定することができる。
【０１０５】
図１３は、パネル表面温度−ガンマ補正値の相関を示す第３の相関データの一例を示す図である。図中、横軸はパネル表面温度（単位：℃）、縦軸はガンマ補正値（ガンマ値の変化量）である。この第３の相関データは、実際に、液晶パネル５の最大発光輝度でのパネル表面温度と、液晶表示装置に予め設定されているガンマ設定値（２.２）に対するガンマ補正値との相関を取ったもので、関数Δγ＝ｆ３（Ｔｐ）で３次近似することができる。ガンマ設定値（２.２）に対してずれ（変化）がないときのガンマ補正値を０としている。この第３の相関データはＲＯＭ３に格納されており、ガンマ補正部１６により適宜参照することができる。
【０１０６】
前述の図１０において、メインマイコン８は、前述した本発明の方法により求めたパネル表面温度をガンマ補正部１６に伝送する。ガンマ補正部１６は、メインマイコン８からのパネル表面温度に基づいて、ＲＯＭ３に格納されている第３の相関データを参照し、ガンマ補正値を求める。そして、ガンマ補正部１６は、この求めたガンマ補正値を、２.２（ガンマ設定値）に加算して補正すべきガンマ値を求める。すなわち、前述の図４，５の第１の相関データ及び第２の相関データにより、パネル表面温度Ｔｐ＝ｆ１（Ｔｓ）＋ｆ２（Ｂ）を推定し、この推定したパネル表面温度Ｔｐに基づいて、図１３の第３の相関データを参照し、ガンマ補正値Δγ＝ｆ３（Ｔｐ）を求める。そして、このガンマ補正値Δγを、２.２（ガンマ設定値）に加算して、補正すべきガンマ値γを得ることができる。
【０１０７】
そして、このときのガンマ補正は、上記の補正すべきガンマ値γに対して、前述の式（２）を用いてもよいし、あるいは、代表的な複数のガンマ値のＬＵＴを予めＲＯＭ３に保持しておき、該当するＬＵＴを参照することで行ってもよい。
【０１０８】
ここで、メインマイコン８は、バックライト１０の発光輝度がユーザの操作入力により変化したときに、ガンマ補正部１６で算出されたガンマ算出値と、液晶表示装置に予め設定されているガンマ設定値（２.２）とが異なるか否かを判定するようにしてもよい。そして、判定の結果、ガンマ算出値とガンマ設定値とが異なる場合、バックライト１０の発光輝度の変化と同時に、ガンマ設定値からガンマ算出値へ変化させるように制御する。本例では、バックライト１０の発光輝度の変化に応じてガンマ値を同時に変化させているので、画質が急激に変化してしまうことが予想されるが、ユーザが意図的にバックライト１０の発光輝度を変化させているため、画質の変化によりユーザに与える影響は少ないものと考えられる。
【０１０９】
また、バックライト１０の発光輝度が周囲の明るさの変化に応じて自動的に変化したときに、ガンマ補正部１６で算出されたガンマ算出値と、液晶表示装置に予め設定されているガンマ設定値（２.２）とが異なるか否かを判定するようにしてもよい。この例の液晶表示装置は、図示しないＯＰＣ（Optical Picture Control）機能（明るさセンサともいう）を備え、これにより周囲の明るさを検出し、検出結果に応じてバックライト１０の発光輝度を自動的に制御するように構成されている。そして、上記の判定の結果、ガンマ算出値とガンマ設定値とが異なる場合、ガンマ設定値からガンマ算出値へ徐々に変化させるように制御する。この例の場合、ユーザが意図的にバックライト１０の発光輝度を変化させているわけではないので、ユーザに出来るだけ違和感を与えないように、ガンマ値を徐々に変化させるようにしている。なお、ガンマ値の変化のさせ方は、漸次的もしくは段階的のいずれであっても構わない。
【０１１０】
このように本発明によれば、センサ温度の変化に応じてガンマ補正を行うのみならず、バックライトの発光輝度の変化によりパネル表面温度が変化した場合でも、最大発光輝度でのセンサ温度とパネル表面温度との第１の相関データと、バックライトの発光輝度と最大発光輝度でのパネル表面温度に対する温度補正値との第２の相関データと、最大発光輝度でのパネル表面温度とガンマ設定値（２.２）に対するガンマ補正値との第３の相関データとに基づいて、パネル表面温度の変化に応じたガンマ値を算出することができるため、適切なガンマ補正を実行することができる。
【０１１１】
図１４は、図１０に示した液晶表示装置により、バックライト輝度からパネル表面温度を推定しガンマ補正を行う方法の一例を説明するためのフロー図である。まず、メインマイコン８は、ユーザ設定等により、バックライト１０の輝度が変更されたか否かを判定し（ステップＳ１１）、バックライト１０の輝度が変更されないと判定した場合（ＮＯの場合）、ステップＳ１１で待機状態に移行する。また、ステップＳ１１において、バックライト１０の輝度が変更されたと判定した場合（ＹＥＳの場合）、温度センサ１３で検出したセンサ温度を検出する（ステップＳ１２）。
【０１１２】
そして、メインマイコン８は、バックライト１０の輝度変化の前後において、センサ温度が所定値以上変化したか否かを判定する（ステップＳ１３）。この所定値は適宜設定すればよいが、本例では２℃以上変化したかを判定する。このステップＳ１３において、センサ温度が変化したと判定した場合（ＹＥＳの場合）、変化したセンサ温度に基づいて、図１２の相関データを参照し、対応するガンマ値を算出し（ステップＳ１４）、ステップＳ１９に移行する。また、ステップＳ１３において、センサ温度が変化していないと判定した場合（ＮＯの場合）、センサ温度に基づいて第１の相関データ（図４（Ａ））を参照し、対応するパネル表面温度を求める（ステップＳ１５）。
【０１１３】
次に、メインマイコン８は、ステップＳ１５で求めたパネル表面温度を、図４（Ｂ）に示した第２の相関データを参照し、変更されたバックライトの発光輝度に基づいて補正する（ステップＳ１６）。そして、ガンマ補正部１６は、メインマイコン８から伝送された補正後のパネル表面温度に基づいて、図１３に示した第３の相関データ（ＲＯＭ３）を参照し、補正後のパネル表面温度に対応するガンマ値を算出し（ステップＳ１７）、算出したガンマ値が２.２（設定値）であるか否かを判定する（ステップＳ１８）。
【０１１４】
そして、ステップＳ１８において、ステップＳ１７で算出したガンマ値が２.２でないと判定した場合（ＮＯの場合）、ガンマ補正部１６は、ステップＳ１７で算出したガンマ値を使用してガンマ補正を行う（ステップＳ１９）。また、ステップＳ１８において、ステップＳ１７で算出したガンマ値が２.２であると判定した場合（ＹＥＳの場合）、ガンマ補正部１６は、ガンマ設定値（２.２）を使用してガンマ補正を行う（ステップＳ２０）。
【０１１５】
ここで、本発明の他の実施形態について説明する。前述の図４（Ａ）では、実際に、バックライト１０を最大発光輝度（バックライトデュティ１００％）にして、センサ温度とパネル表面温度との相関を取っているが、この相関を各バックライトデュティ毎に取っておいてもよい。例えば、前述の図８に示したように、バックライトデュティ（輝度）１００％，９０％，８０％，…というように相関データを求めておき、これら複数の相関データをメモリ１１記憶しておく。この輝度の間隔は１０％に限定されず適宜設定すればよい。そして、メインマイコン８は、輝度が９０％に変化した場合には、輝度９０％の相関データを参照し、このときのセンサ温度に対応するパネル表面温度を求める。このように、各発光輝度毎の相関データを用いた方法でも、前述の第１の相関データ及び第２の相関データを用いた方法と同様に、バックライト輝度の変化に応じたパネル表面温度を求めることができる。
【０１１６】
これまで説明したガンマ補正方法により、パネル表面温度の変化に応じて白（Ｗ）のガンマ値を調整することができる。ここで、液晶表示装置の色は加法混色であるため、白（Ｗ）の輝度は、赤（Ｒ），緑（Ｇ），青（Ｂ）の各輝度を加算したものとなる。そして、Ｗを構成するＲ，Ｇ，Ｂの輝度比率は、おおよそ、Ｒ：Ｇ：Ｂ＝２０：６５：１５となっている。これより、Ｗのガンマ値とＧのガンマ値とは略等しくなると考えられる。上記のガンマ補正方法によりＷのガンマ値を調整すると、Ｇのガンマ値が変化し、その結果、Ｒ，Ｇ，Ｂのガンマ値がずれてしまい、色度ずれが発生するという問題がある。
【０１１７】
この色度ずれを補正するために、前述の図１０に示したガンマ補正部１６は、メインマイコン８により補正されたパネル表面温度に対応するガンマ値を、Ｗ、Ｒ、Ｇ、Ｂ毎に算出し、Ｗのガンマ値とＧのガンマ値とが等しいと判定された場合、Ｒ及びＢそれぞれのガンマ値とＧのガンマ値とが等しいか否かを判定する。そして、ガンマ補正部１６は、Ｒ及びＢそれぞれのガンマ値とＧのガンマ値とが等しくないと判定された場合、Ｒ及びＢそれぞれのガンマ値を、Ｇのガンマ値になるように調整する。すなわち、Ｒ，Ｇ，Ｂのガンマ値の比率が変化した場合に、Ｒ及びＢのガンマ値をＧのガンマ値に合わせるようにする。これにより、Ｗのガンマ値を変化させることなく、色度ずれを解消することができる。なお、ここでいう「等しい」とは、完全に一致する場合のみならず、略一致する場合も含むものとする。略一致を判定する場合、例えば、２つガンマ値（Ｗのガンマ値とＧのガンマ値、Ｒのガンマ値とＧのガンマ値、Ｂのガンマ値とＧのガンマ値）のずれ量が所定範囲内（例えば、０.１以内など）にあるか否かを判定すればよい。
【０１１８】
図１５は、本発明による色度ずれ補正方法の一例を説明するためのフロー図である。まず、ガンマ補正部１６は、Ｗのガンマ値とＧのガンマ値とが等しいか否かを判定する（ステップＳ２１）。Ｗのガンマ値とＧのガンマ値とが等しい場合（ＹＥＳの場合）、Ｒ及びＢそれぞれのガンマ値とＧのガンマ値とが等しいか否かを判定する（ステップＳ２２）。また、ステップＳ２１において、Ｗのガンマ値とＧのガンマ値とが等しくない場合（ＮＯの場合）、色度ずれ補正を行わずにそのまま終了する。これは、Ｗのガンマ値とＧのガンマ値とが大きくずれている場合、Ｇのガンマ値に合わせてＲとＢのガンマ値を変化させると、輝度、色度を大きく変化させてしまう恐れがあり、好ましくない。このため、Ｗのガンマ値とＧのガンマ値とが等しくない場合には、色度ずれ補正を行わない。
【０１１９】
次に、ステップＳ２２において、Ｒ及びＢそれぞれのガンマ値とＧのガンマ値とが等しい場合（ＹＥＳの場合）、色度ずれ補正の必要がないため、そのまま終了する。また、ステップＳ２２において、Ｒ及びＢそれぞれのガンマ値とＧのガンマ値とが等しくない場合（ＮＯの場合）、Ｒ及びＢのガンマ値を、Ｇのガンマ値になるように調整する（ステップＳ２３）。これにより、Ｗのガンマ値を変化させることなく、色度ずれ補正を行うことができる。
【０１２０】
本発明のさらに他の実施形態について説明する。これまで液晶パネル５の略中心付近のパネル表面温度を求めていたが、このパネル表面温度には液晶パネル５のエリアによってバラツキが存在する。このため、エリアによっては適切なガンマ補正が実行されない可能性がある。そこで、本実施形態では、液晶パネル５を複数のエリアに分割し、各エリア毎にパネル表面温度を求める。そして、各エリア毎のパネル表面温度に対して、変化した発光輝度に基づく補正を行う。
【０１２１】
図１６は、液晶パネル５を分割した各エリア毎のパネル表面温度の分布状態の一例を示す図である。前述の図１０に示した液晶表示装置は、液晶パネル５を複数のエリアに分割するエリア分割部１５を備える。本例では液晶パネル５をエリア５ａ′〜５ｉ′の９つのエリアに分割しているが、これらエリア５ａ′〜５ｉ′それぞれについて前述の図４（Ａ）に示した第１の相関データ、図４（Ｂ）に示した第２の相関データをメモリ１１に格納し、図１３に示した第３の相関データをＲＯＭ３に格納する。つまり、各エリアに応じた第１の相関データ及び第２の相関データを予め準備し、これらをメモリ１１に格納し、各エリアに応じた第３の相関データを予め準備し、これをＲＯＭ３に格納しておく。
【０１２２】
図１０において、メインマイコン８は、第１の相関データ及び第２の相関データに基づいて、液晶パネル５を分割した各エリア毎のパネル表面温度を、変化した発光輝度に基づいて補正し、ガンマ補正部１６は、メインマイコン８により補正されたパネル表面温度に基づいて、液晶パネル５の各エリア毎にガンマ値を算出し、算出したガンマ値に従って入力映像信号の階調値を各エリア毎に変換して出力する。なお、センサ温度が変化した場合には、前述の図１２の相関データにより、対応するガンマ値を算出することができる。この場合、各エリア毎に、最大発光輝度での温度センサ１３によるセンサ温度とガンマ値との相関データをＲＯＭ３に格納しておけばよい。
【０１２３】
すなわち、モニタマイコン１２は、ユーザ操作によるバックライトデュティの変更を検知すると、温度センサ１３のセンサ温度をエリア５ａ′〜５ｉ′それぞれについて検出する。ここで、温度センサ１３は、複数のエリアの数よりも少ない数の温度計測点を有し、温度計測点の温度に基づいて、各エリアのセンサ温度（周囲温度）を予測するようにしてもよい。本例の場合、エリアの数は９つであるため、温度計測点は１〜８ヶ所の間で設定することができる。例えば、パネル中心のエリア５ｅ′近傍に温度計測点を設けた場合、この温度計測点の温度を、エリア５ｅ′のセンサ温度とする。そして、その他のエリア５ａ′〜５ｄ′，５ｆ′〜５ｉ′のセンサ温度は、エリア５ｅ′のセンサ温度（すなわち、温度計測点の温度）から予測する。具体的には、エリア５ａ′〜５ｄ′，５ｆ′〜５ｉ′それぞれの温度と、エリア５ｅ′の温度との温度差を予め計測しておき、この温度差に基づいて予測することができる。また、温度センサ１３は、複数のエリアの数と同じ数の温度計測点を有し、温度計測点の温度を、各エリアのセンサ温度としてもよい。本例の場合、エリアの数は９つであるため、温度計測点は９ヶ所となる。具体的には、９つのエリア５ａ′〜５ｉ′の近傍に温度計測点を設け、各温度計測点の温度を、各エリア５ａ′〜５ｉ′のセンサ温度とする。
【０１２４】
モニタマイコン１２は、上記により検出したエリア５ａ′〜５ｉ′のセンサ温度をメインマイコン８に伝送する。メインマイコン８では、モニタマイコン１２からエリア５ａ′〜５ｉ′のセンサ温度を定期的に受け取っているため、各エリア毎にデュティ変更時のセンサ温度とその直前のセンサ温度とを比較し、温度が変化したか否かを判定することができる。そして、メインマイコン８は、例えば、エリア５ａ′について、デュティ変更時のセンサ温度に基づいて、図４（Ａ）に示した第１の相関データを参照し、デュティ１００％時のセンサ温度に対応するパネル表面温度を求める。このときのパネル表面温度が、前述の図５におけるパネル表面温度の「Ａ」に相当する。なお、パネル表面温度の「Ａ」は、各エリアのセンサ温度に応じて変化する値であり、図１６の例の場合、エリア５ａ′のパネル表面温度は５２.１℃である。
【０１２５】
次に、メインマイコン８は、エリア５ａ′について、ユーザにより変更された輝度（＋１４）により、図４（Ｂ）に示した第２の相関データを参照し、バックライトデュティに対応する温度補正値を求める。図５の例の場合、デュティ１００％の輝度（＋１６）から２段階下げた輝度（＋１４）に変更したため、パネル表面温度の変化量は「２ａ」となることがわかる。なお、このパネル表面温度の変化量の「ａ」は、輝度を１段階変化させたときにパネル表面温度がａ℃変化することを示すが、これは各エリアに応じて異なる値となる。
【０１２６】
そして、メインマイコン８は、バックライト１０の輝度（＋１４）に対応するエリア５ａ′のパネル表面温度を、「Ａ−２ａ」℃として推定することができる。その他のエリア５ｂ′〜５ｉ′についても同様の方法で推定することができる。前述の関数で表すと、各エリアのパネル表面温度はＴｐ＝Ｔ１＋ΔＴ＝ｆ１（Ｔｓ）＋ｆ２（Ｂ）となる。すなわち、メインマイコン８は、バックライト１０の発光輝度が変化したときに、メモリ１１に格納された第１の相関データ（図４（Ａ））に基づいて、温度センサ１３で検出された各エリア毎のセンサ温度に対応する液晶パネル５の最大発光輝度でのパネル表面温度を求め、この各エリア毎のパネル表面温度に対して、メモリ１１に格納された各エリア毎の第２の相関データ（図４（Ｂ））に基づいて実際の発光輝度による補正を行う。このようにして、液晶パネル５の各エリア毎に、輝度変化に対応した正確なパネル表面温度を推定することができる。
【０１２７】
次に、ガンマ補正部１６は、上記のようにして推定された各エリア毎のパネル表面温度により、前述の図１３に示した第３の相関データを参照し、各エリア毎に対応するガンマ補正値（Δγ）を求める。そして、このガンマ補正値（Δγ）を２.２（ガンマ設定値）に加算して、各エリア毎に、補正すべきガンマ値γを得ることができる。
【０１２８】
なお、図１５で説明した色度ずれ補正方法を各エリア毎に実行するようにしてもよい。すなわち、ガンマ補正部１６は、メインマイコン８により補正されたパネル表面温度に対応するガンマ値を、各エリアについて、Ｗ、Ｒ、Ｇ、Ｂ毎に算出し、Ｗのガンマ値とＧのガンマ値とが等しいと判定された場合、Ｒ及びＢそれぞれのガンマ値とＧのガンマ値とが等しいか否かを各エリア毎に判定する。そして、ガンマ補正部１６は、Ｒ及びＢそれぞれのガンマ値とＧのガンマ値とが等しくないと判定された場合、各エリア毎に、Ｒ及びＢそれぞれのガンマ値を、Ｇのガンマ値になるように調整する。
【０１２９】
なお、以上においてはバックライトの輝度をユーザ設定により変化させるものとして説明したが、本発明は、液晶パネル（画面）の平均輝度（ＡＰＬ：Average Picture Level）に応じて、自動的にバックライト輝度を変化させるアクティブバックライト技術を適用した場合でも同様に実施可能であることは言うまでもない。
【符号の説明】
【０１３０】
１…フレーム周波数変換部、２…強調変換部、３…ＲＯＭ、４…電極駆動部、５…液晶パネル、６…フレームメモリ、７…同期抽出部、８…メインマイコン、９…光源駆動部、１０…バックライト、１１…メモリ、１２…モニタマイコン、１３…温度センサ、１４…受光部、１５…エリア分割部、１６…ガンマ補正部、１０１…ＬＥＤ基板、１０２…ＬＥＤ、１０３，１０４…ハーネス、１０５，１０６…コネクタ。
【図１】
2011043290.tif 000003
【図２】
2011043290.tif 000004
【図３】
2011043290.tif 000005
【図４】
2011043290.tif 000006
【図５】
2011043290.tif 000007
【図６】
2011043290.tif 000008
【図７】
2011043290.tif 000009
【図８】
2011043290.tif 000010
【図９】
2011043290.tif 000011
【図１０】
2011043290.tif 000012
【図１１】
2011043290.tif 000013
【図１２】
2011043290.tif 000014
【図１３】
2011043290.tif 000015
【図１４】
2011043290.tif 000016
【図１５】
2011043290.tif 000017
【図１６】
2011043290.tif 000018
【国際調査報告】
2011043290.tif 000019
2011043290.tif 000020
2011043290.tif 000021
2011043290.tif 000022